(57)【要約】【課題】グリップを把持する片方の手のみで画面操作を行えるようにする。【解決手段】ユーザが発話した音声を収音するマイク３と、音声を出力するスピーカ８と、ユーザが把持するグリップ１０と、グリップに設けられて、マイクで収音した音声の録音を指示する録音スイッチ１４と、グリップに設けられて、スピーカによる音声の出力を指示する出力スイッチ１６と、画面を表示する表示入力パネル９と、録音スイッチおよび出力スイッチの少なくともいずれかの操作状態を検知して、その操作状態および現在表示中の画面の状態に応じて、画面を制御する制御部６と、を備えたものとする。【選択図】図１
2018061129.tif 000002
【特許請求の範囲】
【請求項１】
ユーザが発話した音声を出力する拡声装置であって、
ユーザが発話した音声を収音するマイクと、
音声を出力するスピーカと、
ユーザが把持するグリップと、
前記グリップに設けられて、前記マイクで収音した音声の録音を指示する録音スイッチと、
前記グリップに設けられて、前記スピーカによる音声の出力を指示する出力スイッチと、
画面を表示するディスプレイと、
前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、
を備えることを特徴とする拡声装置。
【請求項２】
前記制御部は、
現在表示中の画面の次の画面がある状態で、前記録音スイッチの１回の短押しを検知すると、前記次の画面に遷移し、
現在表示中の画面の前の画面がある状態で、前記録音スイッチの２回の短押しを検知すると、前記前の画面に遷移することを特徴とする請求項１に記載の拡声装置。
【請求項３】
前記制御部は、
前記画面において出力する音声の元になる文字情報が選択された状態で、前記出力スイッチの操作を検知した場合に、選択された前記文字情報から生成した音声を前記スピーカから出力することを特徴とする請求項１または請求項２に記載の拡声装置。
【請求項４】
前記制御部は、
前記ディスプレイの点灯状態で前記出力スイッチの操作を検知した場合に、前記ディスプレイを消灯し、前記ディスプレイの消灯状態で前記録音スイッチの操作を検知した場合に、前記ディスプレイを点灯することを特徴とする請求項１から請求項３のいずれかに記載の拡声装置。
【請求項５】
ユーザが発話した音声を出力する拡声装置の制御方法であって、
ユーザが把持するグリップに設けられて、マイクで収音した音声の録音を指示する録音スイッチ、および前記グリップに設けられて、スピーカによる音声の出力を指示する出力スイッチの少なくともいずれかの操作状態を検知し、
その操作状態、およびディスプレイに現在表示中の画面の状態に応じて、前記ディスプレイの画面を制御することを特徴とする制御方法。
【発明の詳細な説明】
【技術分野】
【０００１】
本発明は、ユーザが発話した音声を出力する拡声装置およびその制御方法に関するものである。
【背景技術】
【０００２】
災害時などの避難の誘導、警備のための案内や誘導、業務の指示などに関するメッセージを多数の人物に同時に報知するため、ユーザが発話した音声を増幅して出力する拡声装置が使用されている。
【０００３】
一方、空港、駅、ホテル、観光地などでは外国人旅行者が多数滞在し、また、工場、倉庫、工事現場などでは外国人労働者が多数働いており、このように外国人が多数滞在する場所では、必要なメッセージを外国人に理解可能な外国語の音声で報知することが望まれる。
【０００４】
このような必要なメッセージを外国語の音声で報知することに関する技術として、従来、複数のメッセージの候補を予め登録しておき、その複数のメッセージの候補の中から適切なメッセージをユーザが選択することで、選択されたメッセージに対応する外国語の音声が出力されるようにした技術が知られている（特許文献１参照）。
【先行技術文献】
【特許文献】
【０００５】
【特許文献１】特開２０１４−０４４３４９号公報
【発明の概要】
【発明が解決しようとする課題】
【０００６】
さて、前記従来の技術では、タッチパネルディスプレイを操作することで、言語やメッセージをユーザが選択することができ、また、トークレバースイッチを操作することで、音声を出力させることができ、また、ロータリボリュームを操作することで、音量を調整することができる。
【０００７】
しかしながら、前記従来の技術では、画面操作を行う場合に、一方の手でグリップ（ハンドル）を把持しながら、他方の手でタッチパネルディスプレイを操作する必要があるため、操作性が悪いという問題があった。
【０００８】
そこで、本発明は、グリップを把持する片方の手のみで画面操作を行うことができる拡声装置およびその制御方法を提供することを主な目的とする。
【課題を解決するための手段】
【０００９】
本発明の拡声装置は、ユーザが発話した音声を出力する拡声装置であって、ユーザが発話した音声を収音するマイクと、音声を出力するスピーカと、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備える構成とする。
【００１０】
また、本発明の制御方法は、ユーザが発話した音声を出力する拡声装置の制御方法であって、ユーザが把持するグリップに設けられて、マイクで収音した音声の録音を指示する録音スイッチ、および前記グリップに設けられて、スピーカによる音声の出力を指示する出力スイッチの少なくともいずれかの操作状態を検知し、その操作状態、およびディスプレイに現在表示中の画面の状態に応じて、前記ディスプレイの画面を制御する構成とする。
【発明の効果】
【００１１】
本発明によれば、グリップに設けられた録音スイッチや出力スイッチをユーザが操作することで、画面操作を行うことができる。このため、グリップを把持する片方の手のみで画面操作を行うことができる。
【図面の簡単な説明】
【００１２】
【図１】本実施形態に係る拡声装置１の側面図
【図２】拡声装置１の概略構成を示すブロック図
【図３】制御部６で行われる処理の概略を示す説明図
【図４】表示入力パネル９に表示される定型文一覧画面を示す説明図
【図５】表示入力パネル９に表示される定型文表示画面を示す説明図
【図６】表示入力パネル９に表示される定型文表示画面を示す説明図
【図７】拡声装置１の動作手順を示すフロー図
【図８】拡声装置１の動作手順を示すフロー図
【図９】拡声装置１の動作手順を示すフロー図
【発明を実施するための形態】
【００１３】
前記課題を解決するためになされた第１の発明は、ユーザが発話した音声を出力する拡声装置であって、ユーザが発話した音声を収音するマイクと、音声を出力するスピーカと、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備える構成とする。
【００１４】
これによると、グリップに設けられた録音スイッチや出力スイッチをユーザが操作することで、画面操作を行うことができる。このため、グリップを把持する片方の手のみで画面操作を行うことができる。
【００１５】
また、第２の発明は、前記制御部は、現在表示中の画面の次の画面がある状態で、前記録音スイッチの１回の短押しを検知すると、前記次の画面に遷移し、現在表示中の画面の前の画面がある状態で、前記録音スイッチの２回の短押しを検知すると、前記前の画面に遷移する構成とする。
【００１６】
これによると、グリップを把持する片方の手のみで次の画面や前の画面に簡単に遷移させることができる。
【００１７】
また、第３の発明は、前記制御部は、前記画面において出力する音声の元になる文字情報が選択された状態で、前記出力スイッチの操作を検知した場合に、選択された前記文字情報から生成した音声を前記スピーカから出力する構成とする。
【００１８】
これによると、画面において選択状態の文字情報の音声を、出力スイッチの操作で出力させることができる。
【００１９】
また、第４の発明は、前記制御部は、前記ディスプレイの点灯状態で前記出力スイッチの操作を検知した場合に、前記ディスプレイを消灯し、前記ディスプレイの消灯状態で前記録音スイッチの操作を検知した場合に、前記ディスプレイを点灯する構成とする。
【００２０】
これによると、ディスプレイの点灯および消灯のための特別な操作を行う必要がないため、省電力を図るとともにユーザの利便性を高めることができる。
【００２１】
また、第５の発明は、ユーザが発話した音声を出力する拡声装置の制御方法であって、ユーザが把持するグリップに設けられて、マイクで収音した音声の録音を指示する録音スイッチ、および前記グリップに設けられて、スピーカによる音声の出力を指示する出力スイッチの少なくともいずれかの操作状態を検知し、その操作状態、およびディスプレイに現在表示中の画面の状態に応じて、前記ディスプレイの画面を制御する構成とする。
【００２２】
これによると、第１の発明と同様に、グリップを把持する片方の手のみで画面操作を行うことができる。
【００２３】
以下、本発明の実施の形態を、図面を参照しながら説明する。
【００２４】
図１は、本実施形態に係る拡声装置１の側面図である。
【００２５】
この拡声装置１では、筐体２の内部に、マイク３と、音声切換部５と、制御部６と、アンプ７と、スピーカ８と、表示入力パネル９と、が収容されている。また、筐体２の下部には、ユーザが把持するグリップ１０が取り付けられている。筐体２におけるスピーカ８の前側には、円錐形状のホーン部１１が設けられている。なお、筐体２の内部には電池(図示せず)も収容されている。
【００２６】
マイク３は、ユーザが発話する音声を収音する。
【００２７】
制御部６は、マイク３で収音した原音声を録音する処理や、録音した原音声を文字情報に変換する処理（音声認識）や、原音声の文字情報（原文）と類似する定型文を探し出す処理（検索）や、定型文の文字情報から合成音声を生成する処理（音声合成）や、合成音声や原音声を再生する処理などを行う。
【００２８】
音声切換部５は、メガホンモード（第１の動作モード）での音声パス（音声の経路）と、翻訳モード（第２の動作モード）での音声パスとを切り換える。アンプ７は、音声切換部５から出力される音声を増幅する。スピーカ８は、アンプ７で増幅された音声を出力する。
【００２９】
メガホンモードでは、マイク３で収音した原音声をそのままアンプ７で増幅してスピーカ８で出力する。翻訳モードでは、マイク３で収音した原音声を制御部６に入力して、制御部６で生成した合成音声や原音声をアンプ７で増幅してスピーカ８で出力する。
【００３０】
筐体２の側面には、モード切換スイッチ１２が設けられている。このモード切換スイッチ１２は、メガホンモードと翻訳モードとを切り換えるものであり、モード切換スイッチ１２の操作に応じて、音声切換部５においてメガホンモードでの音声パスと翻訳モードでの音声パスとが切り換えられる。
【００３１】
表示入力パネル９（表示部、入力部）は、タッチパネルと液晶ディスプレイとを組み合わせた、いわゆるタッチパネルディスプレイで構成され、画面を上向きにした状態で、筐体２の上部に形成された凸部１８に収容されている。
【００３２】
凸部１８の側面には電源スイッチ１３が設けられている。
【００３３】
グリップ１０の手前側には、録音スイッチ１４と、音量調整スイッチ１５とが設けられている。グリップ１０の逆側には、出力スイッチ１６と、ロックスイッチ１７と、が設けられている。ユーザは、一方の手でグリップ１０を把持した状態で、その手の親指で録音スイッチを操作し、また、人差し指で出力スイッチを操作することができる。
【００３４】
録音スイッチ１４は、マイク３で収音した音声の録音を指示するものである。音量調整スイッチ１５は、スピーカ８から出力される音声の音量を調整するものである。
【００３５】
出力スイッチ１６は、メガホンモードでは、アンプ７を動作させる操作を行うものとなり、出力スイッチ１６を押下すると、マイク３で収音された原音声がアンプ７で増幅して出力される。一方、翻訳モードでは、出力スイッチ１６は、アンプ７を動作させるとともに音声の再生を制御部６に指示する操作を行うものとなり、出力スイッチ１６を押下すると、制御部６で音声が再生されて、その音声がアンプ７で増幅されて出力される。このとき、出力スイッチ１６を押下し続けることで、音声が繰返し再生される。
【００３６】
ロックスイッチ１７は、出力スイッチ１６を押下状態に保持するものである。これにより、ユーザが出力スイッチ１６を押下し続けなくても音声の出力を継続させることができる。
【００３７】
なお、モード切換スイッチ１２はロッカースイッチであり、録音スイッチ１４および出力スイッチ１６は押しボタンスイッチであり、音量調整スイッチ１５はロータリースイッチである。
【００３８】
次に、拡声装置１の概略構成について説明する。図２は、拡声装置１の概略構成を示すブロック図である。図３は、制御部６で行われる処理の概略を示す説明図である。
【００３９】
モード切換スイッチ１２の信号が音声切換部５に入力される。この音声切換部５は、モード切換スイッチ１２の操作に応じて、メガホンモードでの音声パスと翻訳モードでの音声パスとを切り換えるものであり、入力切換部２１と、出力切換部２２と、を備えている。入力切換部２１では、マイク３から出力される音声を、出力切換部２２側および制御部６側のいずれかに出力する。出力切換部２２では、入力切換部２１および制御部６のいずれかから入力される音声をアンプ７側に出力する。
【００４０】
音声切換部５と制御部６との間にはレベル調整部２３が設けられている。このレベル調整部２３では、音声切換部５の入力切換部２１から出力される音声のレベルが調整される。
【００４１】
音量調整スイッチ１５の信号が音量調整部２４に入力される。この音量調整部２４は、音声切換部５とアンプ７との間に設けられている。この音量調整部２４では、音量調整スイッチ１５の操作に応じて、音声切換部５の出力切換部２２から出力される音声の音量が調整される。
【００４２】
出力スイッチ１６の信号がアンプ７に入力される。出力スイッチ１６は、アンプ７への給電を断続するスイッチとして機能し、メガホンモードにおいて出力スイッチ１６が押下されると、アンプ７が通電して音声出力状態となり、マイク３から入力される原音声がアンプ７で増幅されて出力される。一方、翻訳モードにおいて出力スイッチ１６が押下されると、アンプ７が通電して音声出力状態になるとともに、再生部３６で音声が再生されて、再生部３６から出力される音声がアンプ７で増幅されて出力される。
【００４３】
記憶部２５は、制御部６において、ユーザが発話する音声を録音した原音声や、原音声の音声認識により取得した原文や、定型文の文字情報から変換された合成音声を一時記憶する。また、記憶部２５は、定型文データベースを記憶する。この定型文データベースには、多数の定型文が登録されている。
【００４４】
また、記憶部２５は、表示入力パネル９に表示された設定画面上でユーザが入力した情報をユーザ設定情報として記憶する。本実施形態では、複数の他言語（英語、中国語など）の音声を出力する順番に関する情報などが記憶される。
【００４５】
制御部６は、操作検知部３１と、録音部３２と、音声認識部３３と、検索部３４と、音声合成部３５と、再生部３６と、出力制御部３７と、画面制御部３８と、省電力制御部３９と、を備えている。この制御部６は、プロセッサで構成され、制御部６の各部は、記憶部２５に記憶されたプログラムを実行することで実現される。
【００４６】
なお、音声認識部３３、検索部３４、および音声合成部３５で合成音声取得部２６が構成される。また、再生部３６、アンプ７およびスピーカ８で音声出力部２７が構成される（図３参照）。
【００４７】
この制御部６には、モード切換スイッチ１２の信号、録音スイッチ１４の信号、出力スイッチ１６の信号が入力される。
【００４８】
操作検知部３１は、録音スイッチ１４および出力スイッチ１６の操作状態を検知する。録音スイッチ１４では、長押し、１回の短押し、および２回の短押しを検知する。ここで、押下から所定時間（例えば500ms）未満でリリースされた場合に、短押しと判断する。また、押下から所定時間以上継続して押下された場合に、長押しと判断する。出力スイッチ１６では、押下されたか否かを検知する。
【００４９】
録音部３２は、レベル調整部２３から出力される原音声を録音する。この録音処理では、音声信号（アナログ信号）を音声データにＡ／Ｄ変換して記憶部２５に記憶させる。録音部３２では、録音スイッチ１４が押下（長押し）されると、録音処理が開始され、録音スイッチ１４がリリースされると、録音処理を終了する。
【００５０】
音声認識部３３は、録音部３２で録音された原音声を文字情報に変換する音声認識を行い、この音声認識結果として、原文（原音声の文字情報）を取得する。この原文は記憶部２５に一時記憶される。
【００５１】
検索部３４は、定型文データベースに登録された原言語（日本語）の定型文の中から、原文と類似度が高い定型文を探し出す（図３参照）。
【００５２】
音声合成部３５は、原言語の定型文を定型文データベースから取得して、その原言語（例えば、日本語）の定型文の文字情報から音声合成により原言語の合成音声を生成する。他言語の定型文を定型文データベースから取得して、その他言語（例えば、英語、中国語など）の定型文の文字情報から音声合成により他言語の合成音声を生成する。この音声合成部３５で生成した合成音声は記憶部２５に一時記憶される。
【００５３】
出力制御部３７は、出力スイッチ１６が押下されると、音声の出力を開始し、出力スイッチ１６がリリースされると、音声の出力を停止するように制御する。このとき、出力制御部３７は、検索部３４で取得した原言語の定型文およびこれに対応する他言語の定型文の音声合成を音声合成部３５に指示し、さらに、音声合成部３５で生成した合成音声の再生を再生部３６に指示する（図３参照）。また、出力制御部３７は、ユーザ設定情報に基づいて、原言語の音声に続けて、ユーザが指定した順番で複数の他言語の合成音声を出力するように、音声合成部３５および再生部３６に指示する。
【００５４】
また、出力制御部３７は、ユーザ設定情報に基づいて、原言語の音声として、原音声と原言語（例えば、日本語）の合成音声とのいずれかを出力するように制御する（図３参照）。また、出力制御部３７は、ユーザ設定情報に基づいて、女性合成音声と男性合成音声とのいずれかを出力するように制御する。
【００５５】
再生部３６は、録音部３２で録音された原音声、および音声合成部３５で生成した合成音声を再生する。この再生処理では、原音声および合成音声のデータを音声信号（アナログ信号）にＤ／Ａ変換する処理が行われる。なお、原音声および合成音声は記憶部２５に一時記憶されており、出力スイッチ１６が押下されている状態では、原言語の音声（原音声または合成音声）および他言語の合成音声が所定の順番で連続して繰り返し再生される。
【００５６】
画面制御部３８は、表示入力パネル９上でユーザが行うタッチ操作に応じて、表示入力パネル９の画面を制御する。また、画面制御部３８は、録音スイッチ１４の操作状態に応じて画面を制御する。この画面制御では、現在表示中の画面の状態を表す画面ステータスに基づいて、録音スイッチ１４による操作が可能な画面か否かを判定し、録音スイッチ１４による操作が可能な画面である場合には、現在表示中の画面の状態および録音スイッチ１４の操作状態に応じた画面制御を行う。
【００５７】
本実施形態では、１つの画面に複数の候補（定型文）が表示されている状態では（図４参照）、録音スイッチ１４の１回の短押しに、選択状態の候補を１つ進める機能が割り当てられており、録音スイッチ１４の２回の短押しに、選択状態の候補を決定する機能が割り当てられている。また、１つの画面に１つの候補が表示されている状態では（図６参照）、録音スイッチ１４の１回の短押しに、表示画面を次の画面に１つ進める機能が割り当てられており、録音スイッチ１４の２回の短押しに、表示画面を前の画面に１つ戻す機能が割り当てられている。
【００５８】
省電力制御部３９は、録音スイッチ１４および出力スイッチ１６の操作に応じて、表示入力パネル９へ給電する電源制御部２８を制御する。本実施形態では、出力スイッチ１６が押下されると、省電力モード（スリープモード）に移行し、表示入力パネル９への給電を停止して、表示入力パネル９のバックライトを消灯する。また、録音スイッチ１４が押下（長押しおよび短押し）されると、省電力モードを解除して、表示入力パネル９への給電を再開して、表示入力パネル９のバックライトを点灯する。
【００５９】
次に、音声を出力する際にユーザが行う操作について説明する。まず、適切な定型文をユーザが探し出して、その定型文の音声を出力する場合について説明する。図４は、表示入力パネル９に表示される定型文一覧画面を示す説明図である。図５は、表示入力パネル９に表示される定型文表示画面を示す説明図である。
【００６０】
図４に示すように、定型文一覧画面には、予め登録された定型文が一覧表示される。ユーザは、画面上で選択操作（タップ）を行うことで、画面に表示された定型文のいずれかを選択することができる。なお、定型文には、文字列全体が固定された一般定型文と、一部の語句を入れ替えることができるテンプレート定型文とがあり、このテンプレート定型文では、他の語句に入れ替え可能な可変部に下線が表示される。
【００６１】
また、この定型文一覧画面には、お気に入り、履歴および定型文のタブ４１が設けられている。選択中のタブ４１には下線が表示される。お気に入りや履歴のタブ４１を選択すると、お気に入りの一覧画面や履歴の一覧画面に遷移させることができる。お気に入りの一覧画面や履歴の一覧画面には、各々のデータベースに登録された定型文が定型文一覧画面と同様に一覧表示される。なお、お気に入りのデータベースには、利用頻度の高い定型文をユーザが登録することができる。履歴のデータベースには、所定時間以上継続してスピーカ８から出力した定型文が自動で登録される。
【００６２】
また、この定型文一覧画面が表示されている状態で、録音スイッチ１４を操作すると、選択状態の定型文を１つずつずらすことができる。本実施形態では、録音スイッチ１４の操作が１回の短押しである場合に、次の定型文（候補）があると、次の定型文が選択状態に変化する。最後の定型文が選択状態である場合に、１回の短押しの操作が行われると、選択状態が最初の定型文に戻る。録音スイッチ１４の操作が２回の短押しである場合には、選択中の定型文で決定され、定型文表示画面（図５参照）に遷移する。
【００６３】
図５に示すように、定型文表示画面には、定型文表示部５１が設けられている。この定型文表示部５１には、初期状態で、定型文一覧画面（図４参照）で決定した定型文の原言語（この例では日本語）の文字情報が表示される。
【００６４】
また、この定型文表示画面には、再生順序表示部５２が設けられている。この再生順序表示部５２には、ユーザ設定情報に基づいて、原言語（日本語）および他言語（英語、中国語、韓国語など）の再生順序が表示される。また、再生順序表示部５２には、国旗アイコン５３が設けられており、この国旗アイコン５３を操作することで、他言語の文字情報が定型文表示部５１に表示される。なお、ユーザによる再生順序の設定は設定画面（図示せず）で行われる。
【００６５】
また、この定型文表示画面には、「テンプレート編集」のボタン５５が設けられている。この「テンプレート編集」のボタン５５を操作すると、テンプレート編集画面（図示せず）が表示され、テンプレート定型文内の可変部の単語を所望の単語に置き換える編集作業を行うことができる。
【００６６】
また、この定型文表示画面には、短縮登録ボタン５６が設けられている。この短縮登録ボタン５６には、使用頻度の高い定型文を登録することができ、短縮登録ボタン５６を操作（タップ）すると、登録された定型文が定型文表示部５１に表示される。
【００６７】
この定型文表示画面が表示されている状態で出力スイッチ１６を押下すると、この定型文表示画面に表示された定型文に関する原言語の音声および他言語の音声が、再生順序表示部５２に表示された順序で出力される。
【００６８】
このように本実施形態では、録音スイッチ１４を操作することで、候補（定型文）の選択および決定を行うことができ、出力スイッチ１６を操作することで、音声を出力させることができる。このため、表示入力パネル９でタッチ操作を行うことなく、録音スイッチ１４および出力スイッチ１６の操作のみで、候補（定型文）の選択から音声の出力までの一連の動作を行わせることができる。
【００６９】
次に、ユーザが発話した音声を録音して、その音声の音声認識結果である原文に類似する定型文を検索して、その定型文の音声を出力する場合について説明する。図６は、表示入力パネル９に表示される定型文表示画面を示す説明図である。
【００７０】
本実施形態では、検索部３４において、ユーザが発話した原音声の音声認識により生成される原文と類似度が高い定型文が検索され、ここで見つかった原言語（日本語）の定型文が、図６に示す定型文表示画面に表示される。
【００７１】
ここで、検索部３４では、類似度が所定のしきい値以上となる定型文が候補として抽出されるが、このとき、複数の候補が抽出される場合がある。一方、この定型文表示画面では、１つの画面に１つの候補が表示されるようになっており、定型文表示画面は、各候補を順に表示する連続画面となり、画面を切り替えることで、定型文の候補を順に表示させることができる。
【００７２】
また、この定型文表示画面には、候補総数表示部６１と、候補番号表示部６２と、が設けられている。候補総数表示部６１には、原文に類似するものとして抽出された候補（定型文）の総数が表示される。候補番号表示部６２には、現在表示中の候補の番号（分子）と候補の総数（分母）とが表示される。図６に示す例では、候補が４つあり、その４つの候補のうちの１番目の候補が定型文表示画面に表示されている。
【００７３】
また、この定型文表示画面には、画面送り（ページ送り）を行うための左右のアイコン６３ａ，６３ｂが設けられている。右のアイコン６３ａを操作（タップ）すると、次の画面（ページ）に遷移させることができ、左のアイコン６３ｂを操作（タップ）すると、前の画面（ページ）に遷移させることができる。このアイコン６３ａ，６３ｂは、画面送りが可能な場合に表示される。すなわち、次の画面がある場合には、右のアイコン６３ａが表示され、前の画面がある場合には、左のアイコン６３ｂが表示される。
【００７４】
また、この定型文表示画面で画面送りのアイコンが表示された状態、すなわち、次の画面や前の画面がある状態で、録音スイッチ１４を操作すると、画面送りを行うことができる。本実施形態では、録音スイッチ１４の操作が１回の短押しである場合に、次の画面があると、次の画面に遷移する。録音スイッチ１４の操作が２回の短押しである場合に、前の画面があると、前の画面に遷移する。
【００７５】
このように本実施形態では、録音スイッチ１４を操作（長押し）することで、音声を録音することができ、録音スイッチ１４を操作（短押し）することで、候補（定型文）の選択を行うことができ、出力スイッチ１６を操作することで、音声を出力することができる。このため、表示入力パネル９でタッチ操作を行うことなく、録音スイッチ１４および出力スイッチ１６の操作のみで、音声の録音から音声の出力までの一連の動作を行わせることができる。
【００７６】
次に、拡声装置１の動作手順について説明する。図７、図８および図９は、拡声装置１の動作手順を示すフロー図である。
【００７７】
拡声装置１では、図７に示すように、まず、モード切換スイッチ１２が翻訳モードの状態でない、すなわち、メガホンモードの状態であれば（ＳＴ１０１でＮｏ）、音声切換部５が、マイク３で収音した原音声をそのまま出力する状態となり、ここで、出力スイッチ１６が押下されると（ＳＴ１０２でＹｅｓ）、アンプ７が音声出力状態となり、原音声の出力を開始する（ＳＴ１０３）。このとき、ユーザが発話した原音声がそのままアンプ７で増幅されてスピーカ８から出力される。そして、出力スイッチ１６が戻されると（ＳＴ１０４でＹｅｓ）、原音声の出力を停止する（ＳＴ１０５）。なお、出力スイッチ１６が押下されていない場合には（ＳＴ１０２でＮｏ）、特別な動作は行われない。
【００７８】
一方、モード切換スイッチ１２が翻訳モードの状態である場合には（ＳＴ１０１でＹｅｓ）、次に、操作検知部３１において、録音スイッチ１４が押下されているか否かを判定する（ＳＴ１０６）。ここで、録音スイッチ１４が押下されている場合には（ＳＴ１０６でＹｅｓ）、省電力制御部３９において、表示入力パネル９を点灯させる（ＳＴ１０７）。そして、操作検知部３１において、録音スイッチ１４の操作が長押しか否かを判定する（ＳＴ１０８）。
【００７９】
ここで、録音スイッチ１４の操作が長押しである場合には（ＳＴ１０８でＹｅｓ）、録音部３２において、マイク３で収音した原音声を録音する処理を開始する（ＳＴ１０９）。このとき、バイブレーションや通知音で、録音が開始されたことをユーザに通知するようにしてもよい。そして、録音スイッチ１４が戻されると（ＳＴ１１０でＹｅｓ）、録音を停止する（ＳＴ１１１）。
【００８０】
次に、音声認識部３３において、録音した原音声を文字情報に変換する音声認識が行われる（ＳＴ１１２）。次に、検索部３４において、原文（原音声の文字情報）に類似する定型文を探し出す検索が行われる（ＳＴ１１３）。そして、検索部３４で見つかった定型文を表示する定型文表示画面（図６参照）を表示入力パネル９に表示する（ＳＴ１１４）。そして、図９に示す音声出力処理（ＳＴ１２７以降）に進む。
【００８１】
一方、録音スイッチ１４の操作が長押しでない場合には（ＳＴ１０８でＮｏ）、図８に示すように、次に、操作検知部３１において、録音スイッチ１４の操作が１回の短押しか否かを判定する（ＳＴ１１５）。ここで、１回の短押しである場合には（ＳＴ１１５でＹｅｓ）、次に、画面制御部３８において、現在表示中の画面が、複数の画面（ページ）からなる連続画面の１つか否かを判定する（ＳＴ１１６）。ここで、現在表示中の画面が連続画面の１つである場合、具体的には定型文表示画面（図６参照）である場合には（ＳＴ１１６でＹｅｓ）、次に、次の画面（ページ）があるか否かを判定する（ＳＴ１１７）。ここで、次の画面がある場合には（ＳＴ１１７でＹｅｓ）、次の画面に切り替える（ＳＴ１１８）。なお、次の画面がない場合には（ＳＴ１１７でＮｏ）、特別な動作は行われない。
【００８２】
また、現在表示中の画面が連続画面の１つでない場合、具体的には定型文一覧画面（図４参照）である場合には（ＳＴ１１６でＮｏ）、次に、次の候補（定型文）があるか否かを判定する（ＳＴ１１９）。ここで、次の候補がある場合には（ＳＴ１１９でＹｅｓ）、次の候補を選択状態とする（ＳＴ１２０）。このとき、最後の候補が選択状態であれば、最初の候補を選択状態に変える。なお、次の候補がない場合には（ＳＴ１１９でＮｏ）、特別な動作は行われない。
【００８３】
一方、録音スイッチ１４の操作が１回の短押しでない場合には（ＳＴ１１５でＮｏ）、次に、操作検知部３１において、２回の短押しか否かを判定する（ＳＴ１２１）。ここで、２回の短押しである場合には（ＳＴ１２１でＹｅｓ）、次に、画面制御部３８において、現在表示中の画面が、連続画面の１つか否かを判定する（ＳＴ１２２）。ここで、現在表示中の画面が連続画面の１つである場合、具体的には定型文表示画面（図６参照）である場合には（ＳＴ１２２でＹｅｓ）、次に、前の画面（ページ）があるか否かを判定する（ＳＴ１２３）。ここで、前の画面がある場合には（ＳＴ１２３でＹｅｓ）、前の画面に切り替える（ＳＴ１２４）。なお、前の画面がない場合には（ＳＴ１２３でＮｏ）、特別な動作は行われない。
【００８４】
また、連続画面でない場合、具体的には定型文一覧画面（図４参照）である場合には（ＳＴ１２２でＮｏ）、次に、選択中の定型文の候補（定型文）があるか否かを判定する（ＳＴ１２５）。ここで、選択中の候補がある場合には（ＳＴ１２５でＹｅｓ）、選択中の候補で決定する（ＳＴ１２６）。これにより、定型文表示画面（図５参照）に遷移する。なお、選択中の候補がない場合には（ＳＴ１２５でＮｏ）、特別な動作は行われない。
【００８５】
一方、図７に示したように、録音スイッチ１４が押下されていない場合には（ＳＴ１０６でＮｏ）、図９に示す音声出力処理（ＳＴ１２７以降）に進む。この場合、ユーザが表示入力パネル９を操作することで、録音スイッチ１４を操作することなく、音声出力を行う定型文を選択する。
【００８６】
図９に示すように、音声出力処理では、まず、操作検知部３１において、出力スイッチ１６が押下されているか否かを判定する（ＳＴ１２７）。ここで、出力スイッチ１６が押下されている場合には（ＳＴ１２７でＹｅｓ）、省電力制御部３９において、表示入力パネル９を消灯させる（ＳＴ１２８）。なお、出力スイッチ１６が押下されていない場合には（ＳＴ１２７でＮｏ）、特別な動作は行われない。
【００８７】
次に、画面制御部３８において、選択中の定型文があるか否かを判定する（ＳＴ１２９）。ここで、選択中の定型文がある場合には（ＳＴ１２９でＹｅｓ）、選択中の定型文の音声の出力を開始する（ＳＴ１３０）。このとき、音声合成部３５において、定型文から合成音声を生成し、再生部３６において、合成音声を再生する処理が開始され、各言語の合成音声が順に繰り返し再生される。そして、出力スイッチ１６が戻されると（ＳＴ１３１でＹｅｓ）、音声の出力を停止する（ＳＴ１３２）。なお、選択中の定型文がない場合には（ＳＴ１２９でＮｏ）、特別な動作は行われない。
【００８８】
このように本実施形態では、録音スイッチ１４を押下すると、表示入力パネル９が点灯し、出力スイッチ１６を押下すると、表示入力パネル９が消灯することから、省電力を図ることができる。なお、録音スイッチ１４を押下する場合には、ユーザが表示入力パネル９の画面を見ながら必要な操作を行う必要があるが、出力スイッチ１６を押下する場合には、音声を出力するだけであり、ユーザが表示入力パネル９の画面を見る必要がないため、表示入力パネル９を消灯させても支障はない。
【００８９】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【００９０】
例えば、前記の実施形態では、ユーザが発話する音声の音声認識により取得した原文と類似度の高い原言語（日本語）の定型文を検索して、その原言語の定型文に対応する他言語の定型文を取得して、その他言語の定型文から他言語の合成音声を生成するようにしたが、翻訳エンジンを用いて原文を翻訳することで他言語の文章を取得して、その他言語の文章から他言語の合成音声を生成するようにしてもよい。
【００９１】
また、前記の実施形態では、合成音声取得（音声認識、検索、音声合成）、音声解析、および音声調整などの各処理を拡声装置１で行うようにしたが、拡声装置１から必要な情報（例えば原音声）をサーバ装置に送信して、サーバ装置において、前記の各処理の全てあるいは一部を行うようにしてもよい。また、前記の翻訳エンジンを用いた文字翻訳をサーバ装置に行わせるようにしてもよい。
【００９２】
また、前記の実施形態では、録音スイッチ１４および出力スイッチ１６を押しボタンスイッチとしたが、これに限定されるものではなく、例えば、スライドスイッチやレバースイッチなどでもよい。
【産業上の利用可能性】
【００９３】
本発明に係る拡声装置およびその制御方法は、グリップを把持する片方の手のみで画面操作を行うことができる効果を有し、ユーザが発話した音声を出力する拡声装置およびその制御方法などとして有用である。
【符号の説明】
【００９４】
１  拡声装置
３  マイク
６  制御部
７  アンプ
８  スピーカ
９  表示入力パネル
１０  グリップ
１４  録音スイッチ
１６  出力スイッチ
３１  操作検知部
３２  録音部
３３  音声認識部
３４  検索部
３５  音声合成部
３６  再生部
３７  出力制御部
３８  画面制御部
３９  省電力制御部
【図１】
2018061129.tif 000003
【図２】
2018061129.tif 000004
【図３】
2018061129.tif 000005
【図４】
2018061129.tif 000006
【図５】
2018061129.tif 000007
【図６】
2018061129.tif 000008
【図７】
2018061129.tif 000009
【図８】
2018061129.tif 000010
【図９】
2018061129.tif 000011
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
ユーザが発話した音声を出力する拡声装置であって、
ユーザが発話した音声を収音するマイクと、
音声を出力するスピーカと、
前記スピーカから出力された音声が放出されるホーン部と、
前記ホーン部の下部に設けられ、ユーザが把持するグリップと、
前記グリップに設けられて、前記マイクで収音した音声の録音を指示する録音スイッチと、
前記グリップに設けられて、前記スピーカによる音声の出力を指示する出力スイッチと、
画面を表示するディスプレイと、
前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、
を備えることを特徴とする拡声装置。
【請求項２】
ユーザが発話した音声を出力する拡声装置であって、
ユーザが発話した音声を収音するマイクと、
音声を出力するスピーカと、
ユーザが把持するグリップと、
前記グリップに設けられて、前記マイクで収音した音声の録音を指示する録音スイッチと、
前記グリップに設けられて、前記スピーカによる音声の出力を指示する出力スイッチと、
画面を表示するディスプレイと、
前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、
を備え、
前記制御部は、
現在表示中の画面の次の画面がある状態で、前記録音スイッチの所定の押下を検知すると、前記次の画面に遷移し、
現在表示中の画面の前の画面がある状態で、前記録音スイッチの前記所定の押下とは異なる押下を検知すると、前記前の画面に遷移することを特徴とする拡声装置。
【請求項３】
ユーザが発話した音声を出力する拡声装置であって、
ユーザが発話した音声を収音するマイクと、
音声を出力するスピーカと、
ユーザが把持するグリップと、
前記グリップに設けられて、前記マイクで収音した音声の録音を指示する録音スイッチと、
前記グリップに設けられて、前記スピーカによる音声の出力を指示する出力スイッチと、
画面を表示するディスプレイと、
前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、
を備え、
前記制御部は、
前記画面において出力する音声の元になる文字情報が選択された状態で、前記出力スイッチの操作を検知した場合に、選択された前記文字情報から生成した音声を前記スピーカから出力することを特徴とすることを特徴とする拡声装置。
【請求項４】
ユーザが発話した音声を出力する拡声装置であって、
ユーザが発話した音声を収音するマイクと、
音声を出力するスピーカと、
ユーザが把持するグリップと、
前記グリップに設けられて、前記マイクで収音した音声の録音を指示する録音スイッチと、
前記グリップに設けられて、前記スピーカによる音声の出力を指示する出力スイッチと、
画面を表示するディスプレイと、
前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、
を備え、
前記制御部は、
前記ディスプレイの点灯状態で前記出力スイッチの操作を検知した場合に、前記ディスプレイを消灯し、前記ディスプレイの消灯状態で前記録音スイッチの操作を検知した場合に、前記ディスプレイを点灯することを特徴とすることを特徴とする拡声装置。
【請求項５】
ユーザが発話した音声をマイクで収音し、スピーカから出力する音声をホーン部で拡声する拡声装置の制御方法であって、
前記ホーン部の下部でユーザが把持するグリップに設けられて、マイクで収音した音声の録音を指示する録音スイッチ、および前記グリップに設けられて、スピーカによる音声の出力を指示する出力スイッチの少なくともいずれかの操作状態を検知し、
その操作状態、およびディスプレイに現在表示中の画面の状態に応じて、前記ディスプレイの画面を制御することを特徴とする制御方法。
【手続補正２】
【補正対象書類名】明細書
【補正対象項目名】０００９
【補正方法】変更
【補正の内容】
【０００９】
本発明の拡声装置は、ユーザが発話した音声を出力する拡声装置であって、ユーザが発話した音声を収音するマイクと、音声を出力するスピーカと、前記スピーカから出力された音声が放出されるホーン部と、前記ホーン部の下部に設けられ、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備える構成とする。
また、本発明の拡声装置は、ユーザが発話した音声を出力する拡声装置であって、ユーザが発話した音声を収音するマイクと、音声を出力するスピーカと、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備え、前記制御部は、現在表示中の画面の次の画面がある状態で、前記録音スイッチの所定の押下を検知すると、前記次の画面に遷移し、現在表示中の画面の前の画面がある状態で、前記録音スイッチの前記所定の押下とは異なる押下を検知すると、前記前の画面に遷移する構成とする。
また、本発明の拡声装置は、ユーザが発話した音声を出力する拡声装置であって、ユーザが発話した音声を収音するマイクと、音声を出力するスピーカと、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備え、前記制御部は、前記画面において出力する音声の元になる文字情報が選択された状態で、前記出力スイッチの操作を検知した場合に、選択された前記文字情報から生成した音声を前記スピーカから出力する構成とする。
また、本発明の拡声装置は、ユーザが発話した音声を出力する拡声装置であって、ユーザが発話した音声を収音するマイクと、音声を出力するスピーカと、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備え、前記制御部は、前記ディスプレイの点灯状態で前記出力スイッチの操作を検知した場合に、前記ディスプレイを消灯し、前記ディスプレイの消灯状態で前記録音スイッチの操作を検知した場合に、前記ディスプレイを点灯する構成とする。
【手続補正３】
【補正対象書類名】明細書
【補正対象項目名】００１０
【補正方法】変更
【補正の内容】
【００１０】
また、本発明の制御方法は、ユーザが発話した音声をマイクで収音し、スピーカから出力する音声をホーン部で拡声する拡声装置の制御方法であって、前記ホーン部の下部でユーザが把持するグリップに設けられて、マイクで収音した音声の録音を指示する録音スイッチ、および前記グリップに設けられて、スピーカによる音声の出力を指示する出力スイッチの少なくともいずれかの操作状態を検知し、その操作状態、およびディスプレイに現在表示中の画面の状態に応じて、前記ディスプレイの画面を制御する構成とする。
【手続補正４】
【補正対象書類名】明細書
【補正対象項目名】００１３
【補正方法】変更
【補正の内容】
【００１３】
前記課題を解決するためになされた第１の発明は、ユーザが発話した音声を出力する拡声装置であって、ユーザが発話した音声を収音するマイクと、音声を出力するスピーカと、前記スピーカから出力された音声が放出されるホーン部と、前記ホーン部の下部に設けられ、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備える構成とする。
【手続補正５】
【補正対象書類名】明細書
【補正対象項目名】００１５
【補正方法】変更
【補正の内容】
【００１５】
また、第２の発明は、ユーザが発話した音声を出力する拡声装置であって、ユーザが発話した音声を収音するマイクと、音声を出力するスピーカと、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備え、前記制御部は、現在表示中の画面の次の画面がある状態で、前記録音スイッチの所定の押下を検知すると、前記次の画面に遷移し、現在表示中の画面の前の画面がある状態で、前記録音スイッチの前記所定の押下とは異なる押下を検知すると、前記前の画面に遷移する構成とする。
【手続補正６】
【補正対象書類名】明細書
【補正対象項目名】００１７
【補正方法】変更
【補正の内容】
【００１７】
また、第３の発明は、ユーザが発話した音声を出力する拡声装置であって、ユーザが発話した音声を収音するマイクと、音声を出力するスピーカと、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備え、前記制御部は、前記画面において出力する音声の元になる文字情報が選択された状態で、前記出力スイッチの操作を検知した場合に、選択された前記文字情報から生成した音声を前記スピーカから出力する構成とする。
【手続補正７】
【補正対象書類名】明細書
【補正対象項目名】００１９
【補正方法】変更
【補正の内容】
【００１９】
また、第４の発明は、ユーザが発話した音声を出力する拡声装置であって、ユーザが発話した音声を収音するマイクと、音声を出力するスピーカと、ユーザが把持するグリップと、前記グリップに設けられて、前記マイクで収音した音声の録音を指示する録音スイッチと、前記グリップに設けられて、前記スピーカによる音声の出力を指示する出力スイッチと、画面を表示するディスプレイと、前記録音スイッチおよび前記出力スイッチの少なくともいずれかの操作状態を検知して、その操作状態、および前記ディスプレイに現在表示中の画面の状態に応じて、前記ディスプレイの画面を制御する制御部と、を備え、前記制御部は、前記ディスプレイの点灯状態で前記出力スイッチの操作を検知した場合に、前記ディスプレイを消灯し、前記ディスプレイの消灯状態で前記録音スイッチの操作を検知した場合に、前記ディスプレイを点灯する構成とする。
【手続補正８】
【補正対象書類名】明細書
【補正対象項目名】００２１
【補正方法】変更
【補正の内容】
【００２１】
また、第５の発明は、ユーザが発話した音声をマイクで収音し、スピーカから出力する音声をホーン部で拡声する拡声装置の制御方法であって、前記ホーン部の下部でユーザが把持するグリップに設けられて、マイクで収音した音声の録音を指示する録音スイッチ、および前記グリップに設けられて、スピーカによる音声の出力を指示する出力スイッチの少なくともいずれかの操作状態を検知し、その操作状態、およびディスプレイに現在表示中の画面の状態に応じて、前記ディスプレイの画面を制御する構成とする。